(57)【特許請求の範囲】
【請求項１】
分散剤であって、
（Ａ）１０重量％〜６０重量％のカプセル化された香料と、
（Ｂ）０．００１重量％〜１０重量％の粘度調整剤と、
（Ｃ）任意で、０．２重量％〜３０重量％のカプセル化されていない香料と、
（Ｄ）２重量％〜３０重量％の乳化剤、安定剤、アニオン性、ノニオン性、カチオン性、両性または双性イオン性（共）界面活性剤、有機溶媒、ビルダー、酵素、並びに土壌防虫剤、増粘剤、蛍光染料、錯化剤、漂白剤、漂白活性化剤、染料、抗酸化剤、抗菌性活性成分、灰色化抑制剤、再沈着防止剤、ｐＨ修正剤、電解質、発泡防止剤及びＵＶ吸収剤、保存料、又は真珠様光沢化剤の少なくとも１つと、
（Ｅ）１８重量％〜４４．９重量％の水と、を含み、
（Ａ）〜（Ｅ）の化合物の重量％は、分散剤の全体量に対する重量％であり、化合物の全体量は１００重量％となることを条件とする、
前記分散剤の粘度は、１５ｍＰａｓ〜４００ｍＰａｓの範囲である、分散剤。
【請求項２】
前記粘度調整剤は、ポリビニルピロリドン、水溶性セルロース、ポリビニルアルコール、エチレン無水マレイン酸コポリマー、メチルビニルエーテル無水マレイン酸コポリマー、ポリエチレンオキシド、水溶性ポリアミド又はポリエステル、ポリアクリル酸、ポリスチレンアクリル酸コポリマー又はこれらの混合物であるアクリル酸のコポリマー又はホモポリマーが含まれる水溶性ポリマーの群から選択される、請求項１に記載の分散剤。
【請求項３】
前記カプセル化された香料のｄｖ（５０）の値は５μｍ〜６０μｍの範囲であり、及び／又はｄｖ（９０）の値は１４０μｍ〜１８０μｍの範囲である、請求項１に記載の分散剤。
【請求項４】
香り粒子、粉末又は顆粒を製造する方法における請求項１に係る分散剤の使用であって、
前記分散剤に含まれるカプセル化されていない及び／又は前記カプセル化された香料は、組成物に含まれる各粒子、粉末又は顆粒に付着する、分散剤の使用。
【請求項５】
請求項１に記載の分散剤の使用であって、
（ａ）粒子、粉末または顆粒の組成物に分散剤を噴射する際、前記カプセル化された香料が均一に分散されるように改善し、及び／又は
（ｂ）洗濯洗剤組成物の香り粒子、粉末または顆粒の製造時に、（前記カプセル化された香料の）カプセルが分解することを防止し、及び／又は
（ｃ）洗濯洗剤組成物の粒子、粉末または顆粒の芳香性（カプセル化及び／又はカプセル化されていない）を向上させる、分散剤の使用。
【請求項６】
前記粒子、粉末または顆粒の組成物は、洗濯洗剤組成物の粒子、粉末または顆粒である、請求項５に記載の分散剤の使用。
【請求項７】
香り粒子、粉末または顆粒を製造する方法であって、
（１）  洗浄剤及び洗剤の原料を含む粒子、粉末または顆粒を提供するステップと、
（２）  請求項１から請求項３のいずれか一項に係る分散剤を用意するステップと、
（３）  ステップ（２）の分散剤をステップ（１）の洗濯洗浄剤組成物に噴射するステップと、を含み、
前記噴射時における温度は摂氏１５〜１２０度の範囲内である、香り粒子、粉末または顆粒を製造する方法。
【請求項８】
前記香り粒子、粉末または顆粒は、洗浄及び洗剤組成物の粒子、粉末または顆粒である、請求項７に記載の方法。
【請求項９】
前記洗剤組成物は洗濯洗剤組成物である、請求項８に記載の方法。
【請求項１０】
前記分散剤を前記ステップ（１）の粒子、粉末または顆粒に噴射される前に測定された、カプセル化された香料のｄｖ（５０）値は５μｍ〜６０μｍの範囲であり、及び／又は、ｄｖ（９０）値は１４０μｍ〜１８０μｍの範囲である、請求項７から請求項９のいずれか一項に記載の方法。
【請求項１１】
前記ステップ（２）の分散剤は、蛍光染料、界面活性剤、錯化剤、漂白剤、漂白活性化剤、染料、抗酸化剤、ビルダー、酵素、酵素安定剤、抗菌性活性成分、灰色化抑制剤、再沈着防止剤、ｐＨ修正剤、電解質、発泡防止剤及びＵＶ吸収剤を更に含む、請求項７から請求項９のいずれか一項に記載の方法。
【請求項１２】
複数の洗剤の粒子を含む粒状の洗濯洗浄剤組成物であって、
請求項７から請求項１１のいずれか一項に記載の前記カプセル化された香料は前記洗剤の粒子に付着しており、前記粒状の洗濯洗浄剤組成物はＤＩＮ  ＩＳＯ  ４３２４に従って測定した安息角が４５度以下である、粒状の洗濯洗浄剤組成物。
【請求項１３】
前記ステップ（２）の分散剤は、
（ｉ）３０重量％〜４５重量％のカプセル化された香料と、
（ｉｉ）０．０１重量％〜０．２重量％の粘度調整剤と、
（ｉｉｉ）水と、を含み、
但し、（ｉ）〜（ｉｉｉ）の化合物の全体量は１００重量％となることを条件とする、請求項１２に記載の粒状の洗濯洗浄剤組成物。
【発明の詳細な説明】
【技術分野】
【０００１】
本発明は洗剤の分野に属する発明であり、カプセル化された香料を含有する分散剤及びその分散方法、並びに洗濯洗剤組成物の粒子、粉末又は顆粒にカプセル化された香料を付着するプロセスにおいて分散剤を使用することに関する。
【背景技術】
【０００２】
香料は衣料用洗剤に使用する物質として、重要な構成要素である。香料によって、洗濯後の衣類は、濡れている状態及び乾いている状態の両方において、好ましいかつ新鮮な香りを有する。よって、香料と繊維との親和性が高く、持続して付着することにより、香り成分を持続的に放出し、衣類から長時間に渡り好適な香りを放出する必要がある。そのため、香料への要望は比較的高い。香料を使用することに伴う一般的な課題は、香料の揮発性が高いことである。しかし、この性質に対する効果は、芳香を与える効果でもある。従って、織物及び表面加工された素材への香料の使用は、このような揮発性が高い香料を長時間安定させ、非常に短い時間で香料が全て揮発しないように、芳香の効果を与える必要があるという課題に直面する。香料は洗浄後、所定の時間で蒸発し、これによって、芳香効果が長続きし、かつ均一な芳香効果をもたらす。香料における課題は、香水に含まれる新鮮かつ軽いノートを構成する香り印象は、ハートノート(heart note)及びベースノート(base note)から構成される香料よりも高い蒸気圧を有することから、早期に蒸発し、香水の香り印象が時間と共に変化する点である。よって、香料は長時間、香り印象を安定的に与えられるように、殆どの場合においてカプセル化されている。しかし、このような香料を有するカプセルと、その他の典型的な成分とを含有する、洗浄剤及び洗剤組成物においては、一般的には長時間の持続後、沈殿又は浮上し、洗濯組成物の安定性に影響を及ぼすという問題が生じる。
【０００３】
国際公開第２０１４／０１６３９５号は、粒子径分布が少なくとも２つの極大値を有するマイクロカプセルの発明に関し、粒子径の主な極大値は５〜１００μｍの範囲であり、極大値の１／４の粒子径であるマイクロカプセルから推測される体積は、マイクロカプセル全体の体積の約２０％よりも大きい。特に適したマイクロカプセルの使用形態は、懸濁液の形態、特に水と最終製品とを混合する使用である。前述した懸濁液との混合を防止し、保管時における高い安定性を達成するためには、懸濁液の粘度は１２〜１５００ｍＰａｓである必要があり、これは、増粘剤を使用することによって達成し得る。
【先行技術文献】
【特許文献】
【０００４】
【特許文献１】国際公開第２０１４／０１６３９５号
【０００５】
洗浄剤及び洗剤組成物、特に衣料用洗剤に香水または香料を使用することが、問題に繋がることもある。例えば、個々の有効成分、例えば香水又は香料と、洗浄剤及び洗剤組成物の漂白剤、酵素、染料等との不適合性による問題が起こり得る。これによって、望ましくない変色、凝集、匂い、洗濯有効成分の崩壊が発生し得る。
しかし、使用者は使用時に、さらに保管及び搬送後にも最適な効果を示す、洗浄剤及び洗剤組成物の存在を望んでいる。
これは、洗浄剤及び洗剤組成物の成分が分離して沈殿しておらず、分解されておらず、または蒸発していないことを意味する。
【０００６】
本発明において定義されている課題は、特に以下の観点において、粒子、粉末又は顆粒を含有する洗濯洗剤組成物の製造プロセスを改善することである。
・凝集を減少して、粒子、粉末又は顆粒の流動性を改善する。
・製品の分解を減少する。
・製品のスループット率を改善する。
【０００７】
特に、洗濯洗剤組成物の粒子、粉末又は顆粒に香りを与えるステップにおいて、以下の点について改善しようと試みている。
・カプセルの分解を減少する。
・洗濯洗剤組成物の粒子、粉末又は顆粒に、香りを均一に分散する。
・プロセスステップにおいて、香料の減少率を縮小する。
・製造プロセスにおいて、香料の保管安定性とハンドリングの改善を図る。
以下に記載される本発明の分散剤によって、これらの課題が解決され得る。
【発明の概要】
【課題を解決するための手段】
【０００８】
本発明の目的は、以下の成分からなる分散剤を提供することである：
（Ａ）０．１重量％〜８０重量％、好ましくは１重量％〜７０重量％、さらに好ましくは１５重量％〜５０重量％のカプセル化された香料；
（Ｂ）任意で、０．００１重量％〜１０重量％、好ましくは０．０１重量％〜７重量％、さらに好ましくは０．０１重量％〜２重量％の粘度調整剤；
（Ｃ）任意で、０．００１重量％〜８０重量％、好ましくは０．１重量％〜７０重量％、さらに好ましくは１５重量％〜５０重量％のカプセル化されていない香料；
（Ｄ）０．００１重量％〜９９重量％の添加剤；
（Ｅ）３０重量％〜９９重量％、好ましくは４０重量％〜９８重量％、更に好ましくは５０重量％〜９５重量％の水。
うち、（Ａ）〜（Ｅ）の化合物の重量％は、分散剤の全体量に対する重量であり、化合物の全体量は１００重量％となることを条件とする。
【０００９】
本発明の分散剤に関する好ましい実施例は、以下の通りである。
（Ａ）１０重量％〜６０重量％のカプセル化された香料；
（Ｂ）０．０１重量％〜５重量％の粘度調整剤；
（Ｃ）任意で、０．００１重量％〜８０重量％のカプセル化されていない香料；
（Ｄ）０．００１重量％〜９９重量％の添加剤；
（Ｅ）３０重量％〜９９重量％の水。
うち、（Ａ）〜（Ｅ）の化合物の重量％は、分散剤の全体量に対する重量であり、化合物の全体量は１００重量％となることを条件とする。
【００１０】
本発明の分散剤に関する好ましい一実施形態は、以下の通りである。
（Ａ）２０重量％〜４０重量％のカプセル化された香料；
（Ｂ）０．０１重量％〜２重量％の粘度調整剤；
（Ｃ）任意で、０．００１重量％〜８０重量％のカプセル化されていない香料；
（Ｄ）０．００１重量％〜９９重量％の添加剤；
（Ｅ）５０重量％〜９９重量％の水。
うち、（Ａ）〜（Ｅ）の化合物の重量％は、分散剤の全体量に対する重量であり、化合物の全体量は１００重量％となることを条件とする。
【００１１】
好ましくは、本発明の分散剤はチキソトロピー性及びレオロジー性を有する利点を持ち、製造プロセスにおける保管及びハンドリング時において安定している。さらに、本発明の分散剤は、特に粒子、粉末または顆粒を含む、芳香洗濯洗剤組成物の製造プロセスにおいて有利であることを示している。
【００１２】
同様に有利には、カプセル化された香料は、本発明の液体性溶媒中で安定に分散させることができる。「安定な」とは、組成物が、室温及び４０℃で、少なくとも４週間、好ましくは少なくとも６週間にわたって、組成物のクリーミング又は沈殿を起こすことなく安定していることを意味する。
【００１３】
本発明の分散剤に有用な粘度調整剤の例としては、水溶性ポリマーの群から選択され、例えば、ポリビニルピロリドン、水溶性セルロース、ポリビニルアルコール、エチレン無水マレイン酸コポリマー、メチルビニルエーテル無水マレイン酸コポリマー、ポリエチレンオキシド、水溶性ポリアミド又はポリエステル、ポリアクリル酸、ポリスチレンアクリル酸コポリマー又はこれらのうち２つ以上の混合物等のアクリル酸のコポリマー又はホモポリマー等が挙げられる。水溶性ヒドロキシアルキル及びカルボキシアルキルセルロースの例としては、ヒドロキシエチル及びカルボキシメチルセルロース、ヒドロキシメチル及びカルボキシメチルセルロース、ヒドロキシプロピルカルボキシメチルセルロース、ヒドロキシプロピルメチルカルボキシエチルセルロース、ヒドロキシプロピルカルボキシプロピルセルロース、ヒドロキシブチルカルボキシメチルセルロースなどが挙げられる。
同様に有用には、これらのカルボキシアルキルセルロースのアルカリ金属塩、特に好ましくはナトリウム及びカリウム誘導体が挙げられる。
【００１４】
更に、有用な粘度調整剤は例えば、ポリアクリレート、キサンタンガム、ゲランガム、グアー粉末、アルギネート、カラギーナン、ベントナイト、ウェランガム、イナゴマメ粉末、アガー、トラガカンスガム、アラビアガム、ペクチン、ポリオース、スターチ、デキストリン、ゼラチン及びカセインが含まれる。
【００１５】
ポリアクリル酸およびポリメタクリル酸粘度調整剤は、例えば、ポリアルケニルポリエーテル、特に、スクロース、ペンタエリトリトールまたはプロピレンのアリルエーテルと架橋したアクリル酸の高分子量ホモポリマー（The Cosmetic, Toiletry and Fragrance Association（CTFA）の"International Dictionary of Cosmetic Ingredients" によるINCI名：カーボマー）であり、これはカルボキシビニルポリマーとも呼ばれる。このようなポリアクリル酸は、特に、3V Sigma社から、Polygel（登録商標）の商品名で販売されているPolygel DA、およびB. F. Goodrich社からCarbopol（登録商標）の商品名で販売されている、例えば、Carbopol 940（分子量約4,000,000）、Carbopol 941（分子量約1,250,000）またはCarbopol 934（分子量約3,000,000）として入手可能である。その他に、以下のアクリル酸コポリマーもこの分類に含まれる：（ｉ）アクリル酸、メタクリル酸、およびそれらの単純エステル（好ましくはＣ１−４アルコールから生成）の群からの２つ以上のモノマーのコポリマー（INCI アクリレートコポリマー）であり、それに属するコポリマーは、例えば、メタクリル酸、ブチルアクリレートおよびメチルメタクリレートのコポリマー（Chemical Abstracts ServiceによるCAS番号：25035-69-2）またはブチルアクリレートおよびメチルメタクリレートのコポリマー（CAS  25852-37-3）であり、上記の製品は、例えば、Rohm & Haas社からAculyn（登録商標）及び、Acusol（登録商標）の商品名として、及び、Degussa社（Goldschmidt）から商品名Tego（登録商標）Polymerとして販売されており、その例は、アニオン非結合性ポリマーAculyn 22、Aculyn 28、Aculyn 33（架橋）、Acusol 810、Acusol 820、Acusol 823およびAcusol 830（ACS 25852-37-3）である；（ｉｉ）架橋高分子量アクリル酸コポリマーであって、例えば、Ｃ１０−３０アルキルアクリレートと、アクリル酸、メタクリル酸およびそれらの単純エステル（好ましくはＣ１−４アルコールから生成）の群からの１つ以上のモノマーとのコポリマーを含み、サッカロースまたはペンタエリトリトールのアリルエーテルと架橋したコポリマー（INCI アクリレート／Ｃ１０−３０アルキルアクリレートクロスポリマー）であり、これらは例えばB.F.Goodrich社から商品名Carbopol（登録商標）として入手可能であり、その例は疎水化Carbopol TD 2623およびCarbopol 1382（INCI アクリレート／Ｃ１０−３０アルキルアクリレートクロスポリマー）ならびにCarbopol Aqua 30（前Carbopol EX 473）である。
【００１６】
使用し得る他の好ましい高分子粘度調整剤はキサンタンガムであり、これは、Xanthomonas campestrisおよび他のいくつかの種によって好気条件下に産生され、２００万から１,５００万ダルトンの分子量を有する微生物アニオン複合多糖類である。キサンタンは、側鎖を有する連鎖β−１,４−結合グルコース（セルロース）の鎖から形成される。サブグループの構成は、グルコース、マンノース、グルクロン酸、アセテートおよびピルベートから成り、ピルベート単位の数は、キサンタンガムの粘度を決定する。特に適した粘度調整剤は、脂肪族アルコールである。
脂肪族アルコールは、分岐または非分岐であってよく、天然由来または石油化学由来であってよい。好ましい脂肪族アルコールは、１０〜２０個、好ましくは１２〜１８個の炭素原子の炭素鎖長を有する。好ましくは、種々の炭素鎖長の混合物、例えば、獣脂肪族アルコールまたはココ脂肪アルコールが使用される。その例は、Lorol（登録商標）Spezial（Ｃ12-14 ＲＯＨ）またはLorol（登録商標）Technisch（Ｃ12-18ＲＯＨ）（両方ともCognis社より）である。
【００１７】
好ましい粘度調整剤は、特にグアー−２−ヒドロキシプロピルエーテル、キサンタンガム、ゲランガム及びポリアクリル酸又はこれらの誘導体並びに混合物である。
【００１８】
本発明の分散剤を調製するために粘度調整剤を使用することは、分散剤の粘度に影響を与えるために特に適しており、最終製品の製造プロセス、特に香り洗濯洗剤組成物の製造プロセスにおいてコントロールを与える。ここで使用される粘度調整剤の量は、使用される粘度調整剤と必要な粘度とによるが、有利には本発明の全体の分散剤に対して、０．００１重量％から１０重量％の間、好ましくは０．０１重量％から７重量％の間、さらに好ましくは０．０１重量％から２重量％の間である。
【００１９】
適した添加剤（化合物Ｄ）は、乳化剤、安定剤、アニオン性、ノニオン性、カチオン性、両性または双性イオン性（共）界面活性剤、有機溶媒、ビルダー、酵素、並びに土壌防虫剤、増粘剤、蛍光染料、錯化剤、漂白剤、漂白活性化剤、染料、抗酸化剤、抗菌性活性成分、灰色化抑制剤、再沈着防止剤、ｐＨ修正剤、電解質、発泡防止剤及びＵＶ吸収剤などの追加の助剤、保存料、真珠様光沢化剤等である。
【００２０】
本発明の分散剤を構成する成分の比率（成分Ａ＋Ｂ＋Ｅ）：成分Ｃは、好ましくは１：１０から２：１の範囲に入り、好ましくは１：８から１：１の範囲である。１：８の範囲とは、カプセルのスラリー内に、カプセル化されていない香料が、カプセル化された香料よりも多く含有されているという意味である。
【００２１】
本発明の分散剤のうち、好ましくは約４０％がカプセルであり、これは、分散剤は約３０％の香料と約１０％の担体材料を含むという意味であり、すなわち、カプセルの割合が３５％の場合には、香料の割合が２５％であり担体材料の割合が１０％となる。
【００２２】
化合物（成分Ａ＋Ｂ＋Ｅ）：成分Ｄの構成比率は、好ましくは９：１から１９：１の範囲である。
【００２３】
好ましい一実施形態としては、本発明の分散剤の粘度は、好ましくは５ｍＰａｓ〜４００ｍＰａｓの範囲であり、好ましくは１５ｍＰａｓ〜３００ｍＰａｓの範囲であり、さらに好ましくは２０ｍＰａｓ〜２５０ｍＰａｓの範囲である。
【００２４】
粘度が低い分散剤、特に５ｍＰａｓ以下の分散剤は分離しやすく、一方粘度が高い分散剤、特に４００ｍＰａｓ以上の分散剤は噴射しにくいことから、芳香洗濯洗剤組成物のその後の製造プロセスにおいて不利である。理想的には、粘度が上述した範囲内である本発明の分散剤は、チクソトロピック性を持つレオロジー挙動を示し、香料カプセルは浮いた状態となる。さらに、本発明の分散剤は、好ましくは、せん断性が弱くてもチクソトロピック性を保つ。
【００２５】
本発明の分散剤に含まれるカプセル化された香料が均一に分散されることにより、分散剤を洗濯洗剤組成物の粒子、粉末又は顆粒に噴射する際、香料の濃度が一定となり、よって、香料が粒子、粉末又は顆粒に均一に分散される。
【００２６】
本発明の分散剤は、粘度を調整することができ、その結果、分散剤を噴射するステップを含めた、製造時におけるコントロールが容易となる。
【００２７】
本発明の別の観点は、香り粒子、粉末又は顆粒を製造するプロセスにおいて、本発明の分散剤を使用することに関する。粒子、粉末又は顆粒は、分散剤のカプセル化されていない及び／又はカプセル化された香料として特徴づけられ、組成物に含まれる各粒子、粉末又は顆粒に付着する。
【００２８】
好ましくは、上述の粒子、粉末又は顆粒は、洗浄剤及び洗剤組成物において使用され、望ましくは洗濯用洗剤の組成物において使用される。好ましくは、本プロセスにおいて使用される分散剤の粘度は、５ｍＰａｓ〜４００ｍＰａｓの範囲である。
【００２９】
別の一態様としては、本発明の分散剤の粘度は、
（ａ）ずり応力が高いところで減少し、
（ｂ）ずり応力が低いところで増加する。
【００３０】
粘度は、好ましくは０．１Ｐａｓ〜０．７５Ｐａｓの範囲であり、ずり応力は２．５ｔａｕ〜１６ｔａｕの範囲である。ずり応力が２．５ｔａｕよりも低い時、粘度は、好ましくは０．７５Ｐａｓ〜３．５Ｐａｓの範囲である。
【００３１】
別の一態様としては、本発明の分散剤に含まれる、カプセル化された香料のカプセルのｄｖ（５０）の値は５μｍ〜６０μｍ、好ましくは１０μｍ〜５０μｍ、さらに好ましくは１０μｍ〜４０μｍ、及び／又は、ｄｖ（９０）の値は１４０μｍ〜１８０μｍ、好ましくは１４５μｍ〜１７０μｍ、さらに好ましくは１５０μｍ〜１６０μｍである。
【００３２】
驚くべきことに、本発明の分散剤は、製造プロセスにおいて以下の要求を同時に満たせることが発見され、これは、粒状の洗浄剤及び洗剤、特に粒状の洗濯洗剤組成物の製造において有利である。
・製造プロセスにおける分裂を減少させることができる。
・酵素、染料など、反応が高い洗剤の原料の劣化を防止できる。
・（最終製品の）粒子、粉末または顆粒の凝固を防止し、流動性を改善することができる。
・衣料用洗剤組成物の粒子、粉末または顆粒に香料カプセルを均一に分散する。
・衣料用洗剤の粒子、粉末または顆粒に分散するプロセスにおいて、カプセルの崩壊率を低下させる。
・製品のスループット率を向上させる。
【００３３】
本発明のさらなる観点は、本発明の分散剤の使用に関する。
ａ）粒子状、粉末状または顆粒状の組成物、好ましくは洗濯洗剤組成物の粒子、粉末または顆粒に分散剤を噴射する際、カプセル化された香料が均一に分散されるように改善し、及び／又は
ｂ）洗濯洗剤組成物の香り粒子、粉末または顆粒の製造時に、（香料がカプセル化された）カプセルが分解することを防止し、及び／又は、
ｃ）洗濯洗剤組成物の粒子、粉末または顆粒に与える香りの量（カプセル化及び／又はカプセル化されていない）を増加させる。
本発明に適した香料は下記に記載されており、カプセル化された形態で使用されても、カプセル化されていない形態で使用されてもよい。
【００３４】
＜香料＞
好みによって洗浄剤及び洗剤組成物、望ましくは衣料用洗剤として使用される香料及び香油は、カプセル化された、またはカプセル化されていない香料であり、いかなる制限の対象とならない。即ち、香料は香り化合物として、天然または合成由来の個々の香料化合物として使用することができ、化合物は以下の群から選択される：エステル、エーテル、アルデヒド、ケトン、アルコール、炭化水素、酸、炭酸エステル、芳香族炭化水素、脂肪族炭化水素、飽和炭化水素、不飽和炭化水素、及びそれらの混合物。使用される香料アルデヒドまたは香料ケトンは、快適な匂いをもたらす為に典型的に使用される全ての慣習的な香料アルデヒドまたは香料ケトンである。適した香料アルデヒド及び香料ケトンの使用は、当業者にとって常識の範囲である。適した香料ケトンは、望ましい匂いと新鮮さを与える全ての望ましいアルデヒドを包含する。異なるケトンの混合物を使用してもよい。例えば、ケトンは以下の群から選択される：ブッコキシム、イソジャスモン、メチルβ−ナフチルケトン、ムスクインダノン、トナリド／ムスクプラス、α−ダマスコン、β−ダマスコン、Δ−ダマスコン、イソダマスコン、ダマセノン、ダマローズ、メチルジヒドロジャスモネート、メントン、カルボン、カンファー、フェンコン、α−イオノン、β−イオノン、ジヒドロ−β−イオノン、γ−メチルイオノン、フルーラモン、ジヒドロジャスモン、シス−ジャスモン、イソ−E−スーパー、メチルセドレニルケトンまたはメチル−セドリロン、アセトフェノン、メチルアセトフェノン、パラ−メトキシアセトフェノン、メチルβ−ナフチルケトン、ベンジルアセトン、ベンゾフェノン、パラ−ヒドロキシフェニルブタノン、セロリケトンまたはリベスコン、６−イソプロピルデカヒドロ−２−ナフトン、ジメチルオクテノン、フレスコメンテ、４−(１−エトキシビニル)−３，３，５，５,−テトラメチルシクロ−ヘキサノン、メチルヘプテノン、２−（２−（４−メチル−３−シクロヘキセン−１−イル）プロピル）シクロペンタノン、１−（p−メンテン−６（２）−イル)−１−プロパノン、４−（４−ヒドロキシ−３−メトキシフェニル）−２−ブタノン、２−アセチル−３,３−ジメチルノルボルナン、６,７−ジヒドロ−１,１,２,３,３−ペンタメチル−４（５Ｈ）−インダノン、４−ダマスコール、ダルシニルまたはカシオン、ゲルソン、ヘキサロン、イソシクレモンＥ、メチルシクロシトロン、メチルラベンダーケトン、オリボン、パラ−tert−ブチルシクロヘキサノン、ヴェルドーネ、デルフォーネ、ムスコン、ネオブテノン（登録商標）、プリカトン、ベルトン、２,４,４,７−テトラメチルオクタ−６−エン−３−オン、テトラメラン、ヘディオン及びこれらの混合物。より好ましくは、上記香料ケトンは、以下より選択される：α−ダマスコン、Δ−ダマスコン、イソダマスコン、カルボン、γ−メチルイオノン、イソ−E−スーパー、２,４,４,７−テトラメチル−オクト−６−エン−３−オン、ベンジルアセトン、β−ダマスコン、ダマセノン、メチルジヒドロジャスモネート、メチルセドリロン、ヘディオン及びこれらの混合物。
【００３５】
適した香料アルデヒドは、いかなるアルデヒドであってよく、香料ケトンと同様に望ましい匂いまたは新鮮さを与えるものである。これらは、特定のアルデヒドまたはアルデヒド混合物であってよい。適したアルデヒドには、例えばメロナール、トリプラール、リグストラール、アドキサール、アニスアルデヒド、シマル、エチルバニリン、フロルヒドラール、フロラロゾン、ヘリオナール、ヘリオトロピン、ヒドロキシシトロネラール、コアボン、ラウリンアルデヒド、カントキサール、リラール、リリアール、アドキサール、アニスアルデヒド、クマール、メチルノニルアセトアルデヒド、シトロネラール、シトロネリルオキシ−アセトアルデヒド、シクラメンアルデヒド、ブルゲオナール、p−tert.−ブシナル、フェニルアセトアルデヒド、ウンデシレンアルデヒド、バニリン、２,６,１０−トリメチル−９ーウンデセナール、３−ドデセン−I−アール、α−ｎ−アミルシンナムアルデヒド、４−メトキシ−ベンズアルデヒド、ベンズアルデヒド、３−（４−tert−ブチルフェニル）−プロパナール、２−メチル−３−（パラ−メトキシ−フェニルプロパナール）、２−メチル−４−（２,６,６−トリメチル−２（１）−シクロヘキセン−１−イル）ブタナール、３−フェニル−２−プロペナール、cis−/trans−３,７−ジメチル−２,６−オクタジエン−１−アール、３,７−ジメチル−６−オクテン−１−アール、[（３,７−ジメチル−６−オクテニル）−オキシ]−アセトアルデヒド、４−イソプロピルベンズアルデヒド、１,２,３,４,５,６,７,８−オクタヒドロ−８,８−ジメチル−２−ナフタアルデヒド、２,４−ジメチル−３−シクロヘキセン−１−カルボキシアルデヒド、２−メチル−３−（イソプロピルフェニル）プロパナール、デシルアルデヒド、２,６−ジメチル−５−ヘプテナール、４−（トリシクロ[５.２.１.０（２,６）]−デシリデン−８）−ブタナール、オクタヒドロ−４,７−メタノ−１Ｈ−インデンカルボキシアルデヒド、３−エトキシ−４−ヒドロキシベンズアルデヒド、パラ−エチル−α,α−ジメチルヒドロシンナムアルデヒド、α−メチル−３,４−（メチレンジオキシ）−ヒドロ桂皮アルデヒド、３,４−メチレンジオキシベンズアルデヒド、α−ｎ−ヘキシル−桂皮アルデヒド、m−シメン−７−カルボアルデヒド、α−チルフェニルアセトアルデヒド、７−ヒドロキシ−３,７−ジメチルオクタナール、ウンデセナール、２,４,６−トリメチル−３−シクロヘキセン−１−カルボキシアルデヒド、４−（３）（４−メチル−３−ペンテニル）−３−シクロヘキセン−カルボキシアルデヒド、１−ドデカナール、２,４−ジメチル−シクロヘキセン−３−カルボキシアルデヒド、４−（４−ヒドロキシ−４−メチルペンチル）−３−シクロヘキセン−I−カルボキシアルデヒド、７−メトキシ−３,７−ジメチルオクタン−１−アール、２−メチルウンデカナール、２−メチルデカナール、１−ノナナール、１−オクタナール、２,６,１０−トリメチル−５,９−ウンデカジエナール、２−メチル−３−（４−tert−ブチル）プロパナール、３−（４−エチルフェニル）−２,２−ジメチルプロパナール、３−（４−メトキシフェニル）−２−メチルプロパナール、メチルノニルアセトアルデヒド、２−フェニルプロパン−���−アール、３−フェニル−２−プロペナール−１、３−フェニル−２−ペンチルプロパ−２−エン−１−アール、３−フェニル−２−ヘキシルプロパ−２−エン−アール、３−（４−イソプロピルフェニル）−２−メチルプロパン−１−アール、３−（４−エチルフェニル）−２,２−ジメチルプロパン−１−アール、３−（４−tert−ブチルフェニル）−２−メチル−プロパナール、３−（３,４−メチレンジオキシ−フェニル）−２−メチルプロパン−１−アール、３−（４−エチルフェニル）−２,２−ジメチルプロパナール、３−（３−イソプロピルフェニル）−ブタン−１−アール、２,６−ジメチルヘプト−５−エン−１−アール、ジヒドロシンナムアルデヒド、１−メチル−４−（４−メチル−３−ペンテニル）−３−シクロヘキセン−１−カルボキシアルデヒド、５−または６−メトキシヘキサヒドロ４,７−メタノインダン−１又は２−カルボキシアルデヒド、３,７−ジメチルオクタン−１−アール、１−ウンデカナール、１０−ウンデセン−１−アール、４−ヒドロキシ−３−メトキシベンズアルデヒド、１−メチル−３−（４−メチルペンチル）−３−シクロヘキセン−カルボキシアルデヒド、７−ヒドロキシ−３,７−ジメチル−オクタナール、trans−４−デセナール、２,６−ノナジエナール、p−トリルアセトアルデヒド、４−チルフェニルアセトアルデヒド、２−メチル−４−（２,６,６−トリメチル−１−シクロヘキセン−１−イル）−２−ブテナール、オルト−メトキシシンナムアルデヒド、３,５,６−トリメチル−３−シクロヘキセンカルボキシアルデヒド、３,７−ジメチル−２−メチレン−６−オクテナール、フェノキシアセトアルデヒド、５,９−ジメチル−４,８−デカジエナール、ペオニーアルデヒド（６,１０−ジメチル−３−オキサ−５,９−ウンデカジエン−１−アール）、ヘキサヒドロ−４,７−メタノインダン−１−カルボキシアルデヒド、オクタナール、２−メチルオクタナール、α−メチル−４−（１−メチルエチル）ベンゼン−アセトアルデヒド、６,６−ジメチル−２−ノルピネン−２−プロピオンアルデヒド、p−メチルフェノキシアセトアルデヒド、２−メチル−３−フェニル−２−プロペン−１−アール、３,５,５−トリメチルヘキサナール、ヘキサヒドロ−８,８−ジメチル−２−ナフタアルデヒド、３−プロピル−ビシクロ[２.２.１]−ヘプト−５−エン−２−カルバルデヒド、９−デセナール、３−メチル−５−フェニル−１−ペンタナール、メチルノニルアセトアルデヒド、１−p−メンテン−q−カルボキシアルデヒド、シトラール又はこれらの混合物、リリアールシトラール、１−デカナール、ｎ−ウンデカナール、ｎ−ドデカナール、フロルヒドラール、２,４−ジメチル−３−シクロヘキセン−１−カルボキシアルデヒド、４−メトキシベンズアルデヒド、３−メトキシ−４−ヒドロキシ−ベンズアルデヒド、３−エトキシ−４−ヒドロキシベンズアルデヒド、３,４−メチレンジオキシベンズアルデヒド、３,４−ジメトキシベンズアルデヒド及びこれらの混合物が含まれる。前記の例によると、香料アルデヒド及び香料ケトンは、脂肪族化合物、脂環式化合物、芳香族化合物、エチレン性不飽和構造またはそれらの組み合わせの構造を有している。さらに、ヘテロ原子ま��は多環式構造を有してもよい。構造は、ヒドロキシ基またはアミノ基等の適切な置換基を有してもよい。さらなる適当な香料は、Steffen Arctander、Aroma Chemicals Vol. １（１９６０年、再版２０００） ISBN 0-931710-37-5およびAroma Chemicals Vol. ２（１９６９年、再版２０００） ISBN ０−９３１７１０−３８−３において参照されるアルデヒドおよびケトンの群から選択される。
【００３６】
エステル型香料化合物の例は、ベンジルアセテート、フェノキシエチルイソブチレート、ｐ−ｔｅｒｔ−ブチルシクロヘキシルアセテート、リナリルアセテート、ジメチルベンジルカルボニルアセテート（ＤＭＢＣＡ）、フェニルエチルアセテート、ベンジルアセテート、エチルメチルフェニルグリシネート、アリルシクロヘキシルプロピオネート、スチラリルプロピオネート、ベンジルサリチレート、シクロヘキシルサリチレート、フロラメート、メルセート及びジャスマシクレートが挙げられる。炭化水素型の香料化合物の例は、リモネン及びピネンなどのテルペンである。適したエーテル系の香料は、例えばベンジルエチルエーテル及びアンボルキサンが挙げられる。適したアルコール系香料としては、例えば１０−ウンデセン−１−オール、２，６−ジメチルヘプタン−２−オール、２−メチルブタノール、２−メチルペンタノール、２−フェノキシエタノール、２−フェニルプロパノール、２−ｔｅｒｔ−ブチルシクロヘキサノール、３，５，５−トリメチルシクロヘキサノール、３−ヘキサノール、３−メチル−５−フェニルペンタノール、３−オクタノール、１−オクテン−３−オール、３−フェニルプロパノール、４−ヘプテノール、４−イソプロピルシクロヘキサノール、４−ｔｅｒｔ−ブチルシクロヘキサノール、６，８−ジメチル−２−ノナノール、６−ノネン−１−オール、９−デセン−１−オール、α−メチルベンジルアルコール、α−テルピネオール、アミルサリチレート、ベンジルアルコール、ベンジルサリシレート、β−テルピネオール、ブチルサリシレート、シトロネロール、シクロヘキシルサリシレート、デカノール、ジヒドロミルセノール、ジメチルベンジルカルビノール、ジメチルヘプタノール、ジメチルオクタノール、エチルサリチレート、エチルバニリン、アネトール、オイゲノール、ゲラニオール、ヘプタノール、ヘキシルサリシレート、イソボルネオール、イソオイゲノール、イソプレゴール、リナロール、メントール、ミルテノール、ｎ−ヘキサノール、ネロール、ノナノール、オクタノール、パラ−メンタン−７−オール、フェニルエチルアルコール、フェノール、フェニルサリチレート、テトラヒドロゲラニオール、テトラヒドロリナロール、チモール、トランス−２−シス−６−ノナジエノール、トランス−２−ノネン−１−オール、トランス−２−オクテノール、ウンデカノール、バニリン及びシンナミルアルコール；２以上の香料アルコールが存在する場合は、それぞれ独立して選択してもよい。
【００３７】
香料または香油は、植物から抽出される天然香料の混合物であってよく、例としてはパイナップル、クエン、ジャスミン、パチョリ、バラ、イランイラン油が挙げられる。同様に、好適な香油の例としては、サルビアセージ油、カモミール油、丁子油、バーム油、ミント油、シナモン葉油、ライム花油、ジュニパーベリー油、ベチベル油、乳香油が挙げられ、またオレンジ花油、ネロリ油、オレンジ果皮油、サンダルウッド油が挙げられる。精油の例としては、アンジェリカ根油、アニス油、アニス花油、バジル油、ベイ油、チャンパックス花油、ヨーロッパモミ油、ヨーロッパモミコーン油、エレミ油、ユーカリ油、ウイキョウ油、松葉油、ガルバヌム油、ゼラニウム油、ジンジャーグラス油、グアヤク樹油、ガージャンバルサム油、ヘリクリサム油、芳油、ジンジャー油、アヤメ油、カヤプテ油、ショウブ油、カモミール油、カンファー油、カナンガ油、カルダモン油、カシア油、パインニードル油、コパイババルサム油、コリアンダー油、スペアミント油、キャラウェー油、クミン油、ラベンダー油、レモングラス油、ライム油、マンダリン油、メリッサ油、ジャコウシード油、ミルラ油、丁子油、ネロリ油、ニアウリ油、オリバナム油、オレガノ油、パルマローザ油、パッチョーリ油、ペルーバルサム油、プチグレン油、コショウ油、ペパーミント油、ピメント油、パイン油、ローズ油、ローズマリー油、サンダルウッド油、セロリ種子油、スパイクラベンダー油、スターアニス油、テレビン油、ニオイヒバ油、タイム油、バーベナ油、ベチベル油、ジュニパーベリー油、ウッドモス油、冬緑油、イランイラン油、ヒソップ油、シナモン油、シナモン葉油、シトロネラ油、シトラス油及びシプレス油が挙げられる。
【００３８】
同様に適した香料は、いわゆる芳香物質前駆体（プロドラッグ）である。当該群の化合物は、例えば加水分解によって化学結合を分解することにより、所望の臭気分子及び／または芳香分子を放出する化合物を含む。芳香物質前駆体を形成するには、典型的には所望の香料原料が、揮発性が低いまたは適度であるキャリアに化学的に結合される。この組み合わせによって、物質への付着が向上した、揮発性が低くかつ疎水性が高い芳香物質前駆体が生成される。例えば（着用時における発汗を介して）大気の湿度、熱及び／または直射日光保管時または物干し用ロープ（washing line）を使用した乾燥によってｐＨの変化が起こった結果、香料は、香料原料とキャリアとの結合が分解されることによって放散される。
【００３９】
芳香物質前駆体として使用される香料原料は、典型的には、アルコール、アルデヒド基及び／またはケトン類を有する、飽和性または不飽和性の揮発性化合物である。本実施例において有用な香料原料は、上述した芳香性を有する物質または物質の混合物である。
【００４０】
使用可能である、特に有効な芳香物質前駆体は以下の式（ＩＩＩ）を満たす：
【００４１】
【化１】
0006730297.tif 000002
式中、Ｒは水素、直鎖状Ｃ１−Ｃ８アルキル、分岐状Ｃ３−Ｃ２０アルキル、環式Ｃ３−Ｃ２０アルキル、分岐状環式Ｃ６−Ｃ２０アルキル、直鎖状Ｃ６−Ｃ２０アルケニル、分岐状Ｃ６−Ｃ２０アルケニル、環式Ｃ６−Ｃ２０アルケニル、分岐状環式Ｃ６−Ｃ２０アルケニル、置換型又は非置換型Ｃ６−Ｃ２０アリール及びそれらの混合物；Ｒ１、Ｒ２、Ｒ３は互いに独立しており、直鎖状、分岐状又は置換型Ｃ１−Ｃ２０アルキル；直鎖状、分岐状又は置換型Ｃ２−Ｃ２０アルケニル；置換型又は非置換型の環式Ｃ３−Ｃ２０アルキル；置換型又は非置換型Ｃ６−Ｃ２０アリール、置換型又は非置換型Ｃ２−Ｃ４０アルキレンオキシ；置換型又は非置換型Ｃ３−Ｃ４０アルキレンオキシアルキル；置換型又は非置換型Ｃ６−Ｃ４０アルキレンアリール；置換型又は非置換型Ｃ６−Ｃ３２アリールオキシ；置換型又は非置換型Ｃ６−Ｃ４０アルキレンオキシアリール；Ｃ６−Ｃ４０オキシアルキレンアリールおよびこれらの混合物である。
【００４２】
さらに使用可能である、特に有効な芳香物質前駆体はアセタールまたはケタールであり、好ましくは以下の式（ＩＶ）を満たす：
【００４３】
【化２】
0006730297.tif 000003
式中、Ｒは直鎖状Ｃ１−Ｃ２０アルキル、分岐状Ｃ３−Ｃ２０アルキル、環式Ｃ６−Ｃ２０アルキル、分岐状環式Ｃ６−Ｃ２０アルキル、直鎖状Ｃ２−Ｃ２０アルケニル、分岐状Ｃ３−Ｃ２０アルケニル、環式Ｃ６−Ｃ２０アルケニル、分岐状環式Ｃ６−Ｃ２０アルケニル、置換型又は非置換型Ｃ６−Ｃ２０アリール及びそれらの混合物；Ｒ１、は水素またはＲ；Ｒ２、Ｒ３は互いに独立しており、以下の群から選択される；直鎖状Ｃ１−Ｃ２０アルキル、分岐状Ｃ３−Ｃ２０アルキル、環式Ｃ３−Ｃ２０アルキル、分岐状環式Ｃ６−Ｃ２０アルキル、直鎖状Ｃ６−Ｃ２０アルケニル、分岐状Ｃ６−Ｃ２０アルケニル、環式Ｃ６−Ｃ２０アルケニル、分岐状環式Ｃ６−Ｃ２０アルケニル、Ｃ６−Ｃ２０アリール、置換型Ｃ７−Ｃ２０アリール及びそれらの混合物である。特に（好ましくは不水溶性）マイクロカプセルに入れられた物質の使用は、本発明の１実施例である。
【００４４】
さらに使用可能である、特に有効な芳香物質前駆体は以下の式（Ｖ）を満たす：
【化３】
0006730297.tif 000004
式中、互いに独立しているＲ１、Ｒ２、Ｒ３及びＲ４は、直鎖状、分枝状または置換型Ｃ１−Ｃ２０アルキル；直鎖状、分枝状または置換型Ｃ２−Ｃ２０アルケニル；置換型又は非置換型の環式Ｃ５−Ｃ２０アルキル；置換型又は非置換型Ｃ６−Ｃ２０アリール、置換型又は非置換型Ｃ２−Ｃ４０アルキレンオキシ；置換型又は非置換型Ｃ３−Ｃ４０アルキレンオキシアルキル；置換型又は非置換型Ｃ６−Ｃ４０アルキレンアリール；置換型又は非置換型Ｃ６−Ｃ３２アリールオキシ；置換型又は非置換型Ｃ６−Ｃ４０アルキレンオキシアリール；Ｃ６−Ｃ４０オキシアルキレンアリールおよびこれらの混合物である。これらの物質の使用、特に（好ましくは不水溶性）マイクロカプセルは、本発明の実施例に対応する。
【００４５】
本発明に使用される香料は、特に好ましくはケイ酸エステルの混合物を含む。ケイ酸エステルは以下の式（ＩＶ）によって表される。
【００４６】
【化４】
0006730297.tif 000005
【００４７】
式中、Ｒは各々独立した、水素（Ｈ）、直鎖状又は分岐状、飽和性又は不飽和性、置換型又は非置換型のＣ１−Ｃ６炭化水素基、芳香性アルコール基及び／または殺菌効果を持つアルコール基を含む群から選択され、ｍは１〜２０の範囲の数値であり、ｎは２〜１００の範囲の数値である。式（ＶＩ）におけるケイ酸エステルは、好ましくは少なくとも１つの香料アルコール残余及び／または殺菌効果を持つアルコールの残余を有する。
【００４８】
ケイ酸エステル混合物の存在の効果は、多くの場合、芳香性及び香り強さの双方において、発生する香料の印象をさらに改良できることである。香料の印象は、例えば芳香性等、質的な面のみにおいて改良されているわけではなく、持続性の面においても改良されている。
【００４９】
ケイ酸エステル混合物は、マイクロカプセルに内包されてもよい。マイクロカプセル内のケイ酸エステル混合物が、カプセル化された香料の全体量のうちの少なくとも２重量％となる場合、本発明の好ましい実施例を構成し、乾燥後に所望の芳香効果の更なる改良を与える。
【００５０】
特に適した芳香物質前駆体は、少なくとも１つの第一級アミン群及び／または第二級アミン群を含む化合物の反応生成物であり、例えばアミノ官能基ポリマー、特にアミノ官能基シリコーン、並びにケトン、アルデヒド及びこれらの混合物から選択される香料である。このような物質、特に（好ましくは非水溶性）マイクロカプセルに内包されているものの使用は、本発明の好ましい実施形態に対応する。
【００５１】
ここでは洗浄剤及び洗剤組成物、好ましくは洗濯洗剤組成物である、最終的な組成物に使用されている香料の全体量（カプセル化及び／カプセル化されていない）は、組成物の全体量に基づき、好ましくは０．０１〜５重量％、好ましくは０．１〜３重量％、最も好ましくは０．５〜２重量％である。
【００５２】
用語「カプセル化された香料」とは、本発明の分散剤に使用される、香料又は香料の混合物であり、カプセル化され又はカプセル化されるようになっている。本発明における用語「カプセル化されていない香料」とは、本発明の分散剤に添加できる「遊離型」香料又は「遊離型」香料の混合物であり、カプセル化又はカプセル化されるようにはなっていない。
【００５３】
好適な例としては、異なる香料（上述した香料の群から洗濯される）の混合物の使用であり、全体として好ましい芳香ノートを与える。この場合、少なくとも１つの香料の全体量は、組成物の全体量に基づき、混合物の全ての香料の量である。
【００５４】
多くの場合、カプセル化された香料と、カプセル化されていない香料との比率は、１：１０から２：１の間、好ましくは１：８から１：１の間である。
【００５５】
カプセル化された香料と、カプセル化されていない香料との比率は、本発明の分散剤に含まれる香料の均一な分散の達成に貢献し、結果として、洗浄剤及び洗剤組成物、好ましくは洗濯洗剤組成物の粒子、粉末または顆粒に香料を均一に噴射する。さらに本発明のように、カプセル化された香料と、カプセル化されていない香料との比率が上記の通りである分散剤を噴射すると、洗浄剤及び洗剤組成物、好ましくは衣料用洗剤組成物の粒子、粉末または顆粒に、高い量の香料を与える。
【００５６】
＜カプセル＞
カプセル化された香料を形成するために使用されるカプセル、並びに本発明の洗浄剤及び洗剤組成物、好ましくは洗濯洗剤組成物の粒子、粉末、顆粒を形成するカプセル物質は、粒子、マイクロカプセル又はスペックル、並びに顆粒、化合物及び芳香ビーズであってよく、好適な例としてはマイクロカプセルが選択される。
【００５７】
用語「マイクロカプセル」は、少なくとも一つの連続膜、特にポリマーの連続膜で囲まれた少なくとも一つの芯材または液核を含む球状凝集物を指す。典型的には、これらは微細に分散した液相あるいは固相であって皮膜形成ポリマーによりコーティングされており、製造に際し被包する材料の乳化およびコアセルベーションあるいは界面重合後にこのポリマーにより被覆する。顕微鏡的に小さいカプセルは、粉末のように乾燥させることができる。単一コアマイクロカプセルに加え、多コア凝集物、マイクロスフェアーとして知られているものも存在し、それは、連続膜材料中に２個またはそれ以上のコアを含有する。単一コアまたは多コアマイクロカプセルは、付加的な第二膜、第三膜などによって取り囲まれていてもよい。
【００５８】
好適な例は、連続膜が形成された単一コアのマイクロカプセルである。膜は、天然、半合成または合成材料から形成することができる。天然膜材料の例は下記の通りである：アラビアゴム、寒天、アガロース、マルトデキストリン、アルギン酸およびその塩、例えばアルギン酸ナトリウムまたはカルシウム、脂肪および脂肪酸、セチルアルコール、コラーゲン、キトサン、レシチン、ゼラチン、アルブミン、シェラック、多糖類、例えばデンプンまたはデキストラン、ポリペプチド、タンパク質水解物、スクロースおよびワックス。半合成膜材料は、化学修飾セルロース、特にセルロースエステルおよびエーテル、例えば、セルロースアセテート、エチルセルロース、ヒドロキシプロピルセルロース、ヒドロキシプロピルメチルセルロースおよびカルボキシメチルセルロース、およびデンプン誘導体、特にデンプンエーテルおよびエステルが含まれる。合成膜材料は、例えば、ポリアクリレート、ポリアミド、ポリビニルアルコールまたはポリビニルピロリドンのようなポリマーである。
【００５９】
好ましくは、カプセルは非水溶性壁材料を有するマイクロカプセルであり、好ましくはポリウレタン、ポリオレフィン、ポリアミド、ポリエステル、ポリサッカリド、エポキシ樹脂、シリコン樹脂及び／またはカルボニル化合物のポリ濃縮製品及びＮＨ群を含む化合物である。
【００６０】
マイクロカプセルを製造する方法は、当業者にとって既知である。マイクロカプセルを製造するために適した手順は、米国特許第３，８７０，５４２号、第３，５１６，９４１号、第３，４１５，７５８号、欧州特許第００２６９４１号に教示されている。後者は、保護コロイドの存在下、例えばメラミンホルムアルデヒド初期縮合物の酸誘発濃縮物によるマイクロカプセルの生成及び／又は水に存在しているＣ１−Ｃ４アルキルエーテルと疎水性材料との混合によって生成されるカプセル芯材を指す。
【００６１】
好適な例としては、例えば３Ｍコーポレーション又はＢＡＳＦから入手可能な、例えば、尿素−メラミン−ホルムアルデヒドマイクロカプセル、又はメラミン−ホルムアルデヒドマイクロカプセル、又は尿素−ホルムアルデヒドマイクロカプセルを使用することも可能である。
【００６２】
適したマイクロカプセルは、国際公開第２００１／０４９８１７号に教示されている。
【００６３】
マイクロカプセルは既知のプロセスで製造可能であり、製造プロセスで最も顕著な点はコアセルベーション及び界面のポリマー化である。使用されるマイクロカプセルは、市場で供給されている、表面活性が安定した全てのマイクロカプセルであり、例としては以下の市販製品である（各膜材を括弧内に示す）：Hallcrest Microcapsules（ゼラチン、アラビアガム）、Coletica Thalaspheres（海洋性コラーゲン）、Lipotec Millicapseln（アルギン酸、寒天）、Induchem Unispheres（ラクトース、微結晶セルロース、ヒドロキシプロピルメチルセルロース）；Unicerin C３０（ラクトース、微結晶セルロース、ヒドロキシプロピルメチルセルロース）、Kobo Glycospheres（変性デンプン、脂肪酸エステル、リン脂質）、Softspheres（変性寒天）およびKuhs Probiol Nanospheres（リン脂質）。
【００６４】
代替法として、膜材−芯材構造を有さないが、マトリックス形成材料のマトリックス中に活性成分が分散されている粒子を使用することもできる。このような粒子は、スペックル（speckles）とも呼ばれる。
【００６５】
好ましいマトリックス形成材料は、アルギネートである。アルギネートをベースとしたスペックルを生成するために、封入しようとする活性成分又は封入しようとする複数の活性成分も含むアルギネート水溶液が滴下され、その後Ca2+イオン又はAl3+イオンを含む沈殿浴中で硬化させる。アルギネートをベースとしたスペックルは、例えば脂肪酸石けん等の液体状洗浄剤及び洗剤組成物の原料と望まない反応を引き起こす、遊離型Ｃａ2＋イオン又は遊離型Ａｌ3+イオンを洗い流すために、水で洗い流した後に錯化剤を含有する水性溶液で洗い流すことも有利である。その後、アルギネートをベースとしたスペックルは水で洗い流され、余分な錯化剤を除去する。あるいは、アルギネートの代わりに、その他のマトリックス形成材料が使用され得る。マトリックス形成材料の例は、ポリエチレングリコール、ポリビニルピロリドン、ポリメタクリレート、ポリリシン、ポロキサマー、ポリビニルアルコール、ポリアクリル酸、ポリエチレンオキシド、ポリエトキシオキサゾリン、アルブミン、ゼラチン、アカシア、キトサン、セルロース、デキストラン、Ficoll(登録商標)、デンプン、ヒドロキシエチルセルロース、ヒドロキシプロピルセルロース、ヒドロキシプロピルメチルセルロース、ヒアルロン酸、カルボキシメチルセルロース、脱アセチル化キトサン、デキストラン硫酸及びこれらの材料誘導体を含む。マトリックス形成は、これらの材料に関しては、例えば、ゲル化、ポリアニオン−ポリカチオン相互作用又はポリ電解質金属イオン相互作用により起き、これらのマトリックス形成材料を有する粒子の調製は、それ自体は公知である。
【００６６】
このカプセルの形状は、製造が可能であれば如何なる形状でもよいが、好ましくはほぼ球状である。
【００６７】
長軸方向での径は、内部に存在する成分にまた用途により変動するが、０．０１ｎｍ（カプセルとしては肉眼で確認不能）〜１０００μｍの範囲である。
【００６８】
洗浄剤及び／又は洗剤原料を含み、好適な例として粒子、粉末、又は顆粒と共に使用されるマイクロカプセルは、直径が０．１μｍ〜１００μｍの範囲であり、好ましくは１０μｍ〜５００μｍ、さらに好ましくは８０μｍ〜１００μｍである。芯材または（充填された）空間を内包するマイクロカプセルの膜材の厚みは、７５〜３００ｎｍの範囲、好ましくは８０〜２５０ｎｍ、特に好ましくは９０ｎｍ〜２００ｎｍの範囲である。
【００６９】
使用の目的によって、洗浄剤及び洗剤組成物、特に洗濯洗剤組成物のカプセルは、様々な寸法で生成することができ、上述したカプセルの寸法は、洗浄剤及び洗剤組成物、特に本発明の洗濯洗剤組成物の粒子、粉末または顆粒のカプセルの寸法に限定されない。
【００７０】
カプセルの内部には、これらが粒子、粉末、顆粒状の洗浄剤及び洗剤組成物である、好ましくは本発明における洗剤組成物である場合、カプセルは様々な原料を含み得、例えば鋭敏で化学的又は物理的に非相溶性且つ揮発性な、洗浄剤及び洗剤組成物の成分（＝有効成分）が、保管や輸送に安定な状態で含まれている。カプセル中に存在している成分としては、例えば、蛍光染料、界面活性剤、錯化剤、漂白剤、漂白活性化剤、染料、抗酸化剤、ビルダー、酵素、酵素安定剤、抗菌性活性成分、灰色化抑制剤、再沈着防止剤、ｐＨ修正剤、電解質、発泡防止剤及びＵＶ吸収剤である。カプセルには、カチオン性界面活性剤、ビタミン、タンパク質、保存剤、洗浄作用増進剤又は真珠様光沢化剤も含み得る。マイクロカプセルの充填材は、溶液又はエマルション又は懸濁液の形態の固体又は液体であり得る。
【００７１】
有効成分は、典型的には、組成物の使用時に、機械、熱、化学または酵素反応の結果、カプセルの膜材又はマトリックスが破壊され、カプセルから放出される。本発明の望ましい実施例においては、液体状の洗浄剤及び洗剤組成物は、同一又は異なるカプセルを、０．０１〜１０重量％、特に０．０３〜５重量％、更に望ましくは０．０５〜２．５重量％の範囲で含有している。
【００７２】
上述したパラメータを満たすマイクロカプセルとして形成された香料は、特に分散剤において安定化され、本発明のコンテキストにおいては望ましい結果を示す。香料を内包するマイクロカプセルのｄｖ（５０）値は５μｍ〜６０μｍ、好ましくは１０μｍ〜５０μｍ、さらに好ましくは１０μｍ〜４０μｍ及び／又は、ｄｖ（９０）値は１４０μｍ〜１８０μｍ、好ましくは１４５μｍ〜１７０μｍ、さらに好ましくは１５０μｍ〜１６０μｍである。
【００７３】
望ましい一形態においては、上述の香料を含有するカプセルは、３０〜９９重量％、好ましくは４０〜９８重量％、さらに好ましくは５０〜９５重量％の水と、５〜６０重量％、好ましくは２０〜５０重量％、さらに好ましくは３０〜４０重量％のカプセル化された香料とを含有するスラリーとして、入手可能である。香料を内包するマイクロカプセルのｄｖ（５０）値は５μｍ〜６０μｍ、好ましくは１０μｍ〜５０μｍ、さらに好ましくは１０μｍ〜４０μｍ及び／又は、ｄｖ（９０）値は１４０μｍ〜１８０μｍ、好ましくは１４５μｍ〜１７０μｍ、さらに好ましくは１５０μｍ〜１６０μｍである。一般的に香料カプセルは、カプセルの全体量に対し、香料の芯材が約１０〜９５％、好ましくは約６０〜８５％の割合で含まれている。第２ステップとして、スラリーが洗浄剤及び洗剤組成物、好ましくは洗濯洗剤組成物の粒子、粉末または顆粒に噴射される。使用される粒子、粉末または顆粒は、上述した、典型的な洗浄剤及び洗剤の原料を含有している。
【００７４】
本発明の更なる観点は、香り粒子、粉末または顆粒の製造方法に関し、好ましくは洗浄剤及び洗剤組成物に使用する、さらに好ましくは洗濯洗剤組成物に使用する粒子、粉末または顆粒の製造方法に関し、以下のステップで製造される。
【００７５】
（１）  粒子、粉末または顆粒、好ましくは洗浄剤及び洗濯剤に使用される粒子、粉末または顆粒、さらに好ましくは洗濯洗剤組成物における洗浄剤及び洗剤に使用される粒子、粉末または顆粒を提供し、
（２）  以下を含む分散剤を用意し、
（Ａ）０．１重量％〜８０重量％、好ましくは１重量％〜７０重量％、さらに好ましくは１５重量％〜５０重量％のカプセル化された香料；
（Ｂ）任意で、０．００１重量％〜１０重量％、好ましくは０．０１重量％〜７重量％、さらに好ましくは０．０１重量％〜２重量％の粘度調整剤；
（Ｃ）任意で、０．００１重量％〜８０重量％、好ましくは０．１重量％〜７０重量％、さらに好ましくは１５重量％〜５０重量％のカプセル化されていない香料；
（Ｄ）０．００１重量％〜９９重量％の添加剤；
（Ｅ）３０重量％〜９９重量％、好ましくは４０重量％〜９８重量％、更に好ましくは５０重量％〜９５重量％の水。
うち、（Ａ）〜（Ｅ）の化合物の重量％は、分散剤の全体量に対する重量であり、化合物の全体量は１００重量％となることを条件とする；
（３）  ステップ（２）の分散剤を（１）の粒子、粉末または顆粒に噴射し、
噴射時における温度は摂氏１５〜１２０度、好ましくは摂氏３５〜９０度、更に好ましくは４０〜６０度である。
【００７６】
本発明の製造方法の一実施形態において、カプセル化された香料のカプセルのｄｖ（５０）の値は５μｍ〜６０μｍ、好ましくは１０μｍ〜５０μｍ、さらに好ましくは１０μｍ〜４０μｍ、及び／又は、ｄｖ（９０）の値は１４０μｍ〜１８０μｍ、好ましくは１４５μｍ〜１７０μｍ、さらに好ましくは１５０μｍ〜１６０μｍであり、洗浄剤及び洗剤組成物、好ましくは洗濯洗剤組成物に使用される粒子、粉末または顆粒の分散剤の粘度は、ステップ（１）の粒子、粉末または顆粒に噴射される前に、好ましくは５ｍＰａｓ〜４００ｍＰａｓに調製され、好ましくは１５ｍＰａｓ〜３００ｍＰａｓであり、さらに好ましくは２０ｍＰａｓ〜２５０ｍＰａｓに調製される。
【００７７】
本発明の他の目的は、ＤＩＮ  ＩＳＯ  ４３２４に従って測定した安息角が６０度以下、好ましくは５０度以下、さらに好ましくは４５度以下である、粒状の洗濯洗浄剤組成物である。有利には、ＤＩＮ  ＩＳＯ  ４３２４に従って測定した安息角が３２度〜４０度の間である。
【００７８】
粒状の洗濯洗浄剤組成物とは、粉末状の洗濯洗浄剤組成物であり、液体状の組成物ではないと理解される。このような洗浄剤の適した例は、粉状の重質洗剤、粉状の軽質洗剤、手洗い用食器洗剤、多目的クリーナー等が含まれる。
【００７９】
好ましい実施形態においては、本発明の粒状の洗濯洗浄剤組成物は複数の粒状の洗濯洗浄剤組成物を含み、カプセル化された香料は洗濯洗浄剤組成物に付着し、前述の方法に従って、粒状の洗濯洗浄剤組成物に噴射される。
【００８０】
望ましくは本発明に応じた粒状の洗濯洗浄剤組成物であり、
香り粒子、粉末または顆粒を製造する方法において、好ましくは洗浄剤及び洗剤組成物に使用する粒子、粉末または顆粒、さらに好ましくは洗濯洗剤組成物の製造は、以下のステップで行われる。
（１）洗浄剤及び洗剤の原料を含む粒子、粉末または顆粒を提供するステップ。
（２）以下を含む分散剤を用意するステップ。
（Ａ）０．１重量％〜８０重量％、好ましくは１重量％〜７０重量％、さらに好ましくは１５重量％〜５０重量％のカプセル化された香料；
（Ｂ）任意で、０．００１重量％〜１０重量％、好ましくは０．０１重量％〜７重量％、さらに好ましくは０．０１重量％〜２重量％の粘度調整剤；
（Ｃ）任意で、０．００１重量％〜８０重量％、好ましくは０．１重量％〜７０重量％、さらに好ましくは１５重量％〜５０重量％のカプセル化されていない香料；
（Ｄ）０．００１重量％〜９９重量％の添加剤；
（Ｅ）３０重量％〜９９重量％、好ましくは４０重量％〜９８重量％、更に好ましくは５０重量％〜９５重量％の水。
うち、（Ａ）〜（Ｅ）の化合物の重量％は、分散剤の全体量に対する重量であり、化合物の全体量は１００重量％となることを条件とする；
（３）ステップ（２）の分散剤を（１）の洗剤の粒子、粉末または顆粒に噴射するステップ。
噴射時における温度は摂氏１５〜１２０度、さらに好ましくは４０〜６０度である。
【００８１】
ステップ（２）の分散剤は、好ましくは
（ｉ）３０重量％〜４５重量％のカプセル化された香料と、
（ｉｉ）０．１重量％〜０．２重量％の粘度調整剤と、
（ｉｉｉ）水と、からなる。
但し、化合物の全体量は１００重量％となることを条件とする。
更なる実施形態においては、ステップ（２）の分散剤は、
（ｉ）３０重量％〜４５重量％のカプセル化された香料と、
（ｉｉ）０．１重量％〜０．２重量％の粘度調整剤と、
（ｉｉｉ）１５重量％〜５０重量％のカプセル化されていない香料と、
（ｉｖ）水と、からなる。
但し、化合物の全体量は１００重量％となることを条件とする。
【００８２】
更なる実施形態において、ステップ（２）の分散剤は、好ましくは、
（ｉ）３０重量％〜４５重量％のカプセル化された香料と、
（ｉｉ）０．１重量％〜０．２重量％の粘度調整剤と、
（ｉｉｉ）１５重量％〜５０重量％のカプセル化されていない香料と、
（ｉｖ）２重量％〜３０重量％の添加剤と、
（ｖ）水と、からなる。
但し、化合物の全体量は１００重量％となることを条件とする。
【００８３】
更なる目的は、上述の方法によって入手可能な粒状の洗濯洗浄剤組成物であり、特に香り粒子、粉末または顆粒の製造に関し、好ましくは洗浄剤及び洗剤組成物に使用する粒子、粉末または顆粒の製造に関し、さらに好ましくは洗濯洗剤組成物の製造に関し、製造は以下のステップで行われる。
（１）洗浄剤及び洗剤の原料を含む粒子、粉末または顆粒を提供するステップ。
（２）以下を含む分散剤を用意するステップ。
（Ａ）０．１重量％〜８０重量％、好ましくは１重量％〜７０重量％、さらに好ましくは１５重量％〜５０重量％のカプセル化された香料；
（Ｂ）任意で、０．００１重量％〜１０重量％、好ましくは０．０１重量％〜７重量％、さらに好ましくは０．０１重量％〜２重量％の粘度調整剤；
（Ｃ）任意で、０．００１重量％〜８０重量％、好ましくは０．１重量％〜７０重量％、さらに好ましくは１５重量％〜５０重量％のカプセル化されていない香料；
（Ｄ）０．００１重量％〜９９重量％の添加剤；
（Ｅ）３０重量％〜９９重量％、好ましくは４０重量％〜９８重量％、更に好ましくは５０重量％〜９５重量％の水。
（Ａ）〜（Ｅ）の化合物の重量％は、分散剤の全体量に対する重量であり、化合物の全体量は１００重量％となることを条件とする。
（３）ステップ（２）の分散剤を（１）の粒子、粉末または顆粒に噴射するステップ。
噴射時における温度は摂氏１５〜１２０度、好ましくは摂氏３５〜９０度、更に好ましくは４０〜６０度である。
【００８４】
ステップ（２）の分散剤は、好ましくは、
（ｉ）３０重量％〜４５重量％のカプセル化された香料と、
（ｉｉ）０．１重量％〜０．２重量％の粘度調整剤と、
（ｉｉｉ）水と、からなる。
但し、化合物の全体量は１００重量％となることを条件とする。
【００８５】
更なる実施形態において、ステップ（２）の分散剤は、
（ｉ）３０重量％〜４５重量％のカプセル化された香料と、
（ｉｉ）０．１重量％〜０．２重量％の粘度調整剤と、
（ｉｉｉ）１５重量％〜５０重量％のカプセル化されていない香料と、
（ｉｖ）水と、からなる。
但し、化合物の全体量は１００重量％となることを条件とする。
【００８６】
更なる実施形態において、ステップ（２）の分散剤は、好ましくは、
（ｉ）３０重量％〜４５重量％のカプセル化された香料と、
（ｉｉ）０．１重量％〜０．２重量％の粘度調整剤と、
（ｉｉｉ）１５重量％〜５０重量％のカプセル化されていない香料と、
（ｉｖ）２重量％〜３０重量％の添加剤と、
（ｖ）水と、からなる。
但し、化合物の全体量は１００重量％となることを条件とする。
【００８７】
本発明の粒状の洗濯洗浄剤組成物は、ＤＩＮ  ＩＳＯ  ４３２４に従って測定した安息角が６０度以下、好ましくは５０度以下、さらに好ましくは４５度以下である利点を持つ。
【００８８】
本発明の他の実施形態は、ＤＩＮ  ＩＳＯ  ４３２４に従って測定した安息角が４５度以下、好ましくは４０度以下、さらに好ましくは３０度以下の粒状の洗濯洗浄剤組成物である。有利には、ＤＩＮ  ＩＳＯ  ４３２４に従って測定した安息角が、３２度〜４０度の間である。
【００８９】
好適な例としては、以下の要件を満たす本発明の分散剤である。
（１）粘度は、好ましくは５ｍＰａｓ〜４００ｍＰａｓであり、好ましくは１５ｍＰａｓ〜３００ｍＰａｓであり、さらに好ましくは２０ｍＰａｓ〜２５０ｍＰａｓである。
（２）本発明の分散剤に含まれる、カプセル化された香料のカプセルのｄｖ（５０）の値は５μｍ〜６０μｍ、好ましくは１０μｍ〜５０μｍ、さらに好ましくは１０μｍ〜４０μｍ、及び／又は、ｄｖ（９０）の値は１４０μｍ〜１８０μｍ、好ましくは１４５μｍ〜１７０μｍ、さらに好ましくは１５０μｍ〜１６０μｍである。
【００９０】
好適な例としては、本発明の分散剤であり、
（１）粘度は、好ましくは０．１Ｐａｓ〜０．７５Ｐａｓの範囲に調製されており、ずり応力は２．５ｔａｕ〜１６ｔａｕの範囲である。ずり応力が２．５ｔａｕよりも低い時、粘度は、好ましくは０．７５Ｐａｓ〜３．５Ｐａｓの範囲である。
（２）本発明の分散剤に含まれる、カプセル化された香料のカプセルｄｖ（５０）の値は５μｍ〜６０μｍ、好ましくは１０μｍ〜５０μｍ、さらに好ましくは１０μｍ〜４０μｍ、及び／又は、ｄｖ（９０）の値は１４０μｍ〜１８０μｍ、好ましくは１４５μｍ〜１７０μｍ、さらに好ましくは１５０μｍ〜１６０μｍである。
【００９１】
前述の分散剤は、上述した利点を有し、香り粒子、粉末または顆粒を製造するプロセスにおいて、これらの分散剤を効率よく噴射することができる。
【００９２】
Ｄｖ（５０）及びＤｖ（９０）は、レーザー回折分析によって特定できる。分析は、マルバーン社のマスターサイザー２０００を使用し、以下のパラメータを用いて測定される。分析モデル：Ｍｉｅ、粒子の屈折率：１.５２０、分散剤の屈折率：１.３３０、吸収率：０．１、オブスキュレーション：１３〜１５％、数値は結果物のモデルに基づく。
【００９３】
本発明の目的において、Ｄｖ（５０）及びＤｖ（９０）は有利にμｍ単位を測定し、蓄積された粒子の分布曲線に基づいて測定される。Ｄｖ（５０）とは、粒子の体積の５０％は、Ｄｖ（５０）値と同等又は小さい体積の大きさを有するという意味である。Ｄｖ（９０）とは、粒子の体積の９０％は、Ｄｖ（９０）値と同等又は小さい体積の大きさを有するという意味である。
【実施例１】
【００９４】
＜分散剤Ａ〜Ｄ＞
分散剤Ａ〜Ｄを用意した。分散剤の粘度は、粘度調整剤を使用して調整した。Ａ１及びＡ２は比較例である。組成物は表１に示される。
【表１】
0006730297.tif 000006
【００９５】
*本発明では、粘度はコーン・プレートシステムを使用して特定され、コーンの直径は６０ｍｍ、角度は２度、ずり応力は摂氏２３度において６．４Ｐａ（パスカル）である（粘度計測定装置、Ｈａａｋｅ  ＲＳ１で測定）。
【００９６】
Ｐ１及びＰ１*：カプセル化された香料の組成物。粒子大きさＰ１の平均径は５００〜６００μｍ、Ｐ１*の平均径は２００〜２５０μｍである。組成物は表２で示される。
【表２】
0006730297.tif 000007
Ｐ２：カプセル化されていない香料組成物：Ｐ２はパチョリ、花油、プチグレン油からなる遊離型香油である。
【実施例２】
【００９７】
＜分散剤Ａ〜Ｄの安定性＞
実施例１の分散剤の安定性は、室温２３度（摂氏）、保管温度４０度（摂氏）で測定された。結果は表３に示す。
【表３】
0006730297.tif 000008
【実施例３】
【００９８】
＜粉末状の洗濯洗浄剤の使用＞
液状ベッドの回転グラニュレータ（ドイツ、ビンゼンに所在するグラット  ゲーエムベーハー社のGlatt GPCG3を使用）に、１ｋｇの芳香されていない粉末を充填し、１２００ｒｐｍで液状化した。実施例１の分散剤Ａ１及びＢは、直径１．２ｍｍの微粒化ノズルを使用し、２バールの噴射圧力で洗濯用粉末に噴射された。内部の大気温度は摂氏４０度に固定された。
【００９９】
分散剤Ｂの結果物であるカプセルの粒子径は、マスターサイザーでの測定によると、Ｄｖ（５０）＝２８．０μｍであった。カプセルのＤｖ（９０）は１５６．８μｍであった。
【０１００】
粉末の安息角は、ＤＩＮ  ＩＳＯ４３２４に記載された方法によって分析された。その後、粉末は回収され、試料分取器を使用して１０サンプルに分取され、分取された各資料の香料が分析された。
【０１０１】
比較することを目的として（本発明の実施例ではない）、上記において使用したカプセルを水のみで使用したものも、同様の手順で噴射され、上述の方法で分散された。粉末剤に含まれる香料の含有量の結果（重量％）は、表４に示す。分散剤Ｂは本発明の手法に基づくものであり、分散剤Ａ１は比較のために表示された。
【表４】
0006730297.tif 000009
【０１０２】
結果によると、本発明の試料に含まれる香料の含有量は安定しており、全ての試料のうち平均で最も高い。これは、洗濯機を使用した洗濯毎に、同量の香料が含まれ、洗濯時に安定した同等の香り強さが与えられる点において重要である。
【０１０３】
比較例では、香料の量が安定しておらず、全ての試料を平均した香料の量は、本発明のものよりも低い値となる。従って、洗濯機を使用した洗濯毎に、衣類に付着する香強さが異なる結果となる。表５において、粉末洗濯洗剤の組成物を表す。
【表５】
0006730297.tif 000010
【実施例４】
【０１０４】
＜噴射＞
実施例１の分散剤は、実施例３に従って、粒状の洗濯洗浄剤に噴射され、噴射の手順が観察された。結果は表６に示す。
【表６】
0006730297.tif 000011